(57)【要約】【課題】色やテクスチャーの異なる被評価試料においても、官能評価と一致するブロンズ現象の評価を行えるようにする。【解決手段】照明光源装置１１０から被評価試料に照明光を照射し、撮像装置１２０では、被評価試料を照明光源装置１１０からの照明光の正反射方向から撮影し、被評価試料の撮影画像を生成する。そして、制御装置１３０では、撮像装置１２０で生成された被評価試料の撮影画像から、照明光が映り込んだ画像領域を抽出し、当該抽出した画像領域から、被評価試料に映り込んだ照明光の色情報を取得し、当該取得した、被評価試料に映り込んだ照明光の色情報に基づいて、被評価試料のブロンズ現象に係る評価値であるブロンズ度を算出する。【選択図】図１
2011002331.tif 000002
【特許請求の範囲】
【請求項１】
被評価試料に照明光を照射する照明手段と、
前記被評価試料を前記照明光の正反射方向から撮影し、前記被評価試料の撮影画像を生成する撮像手段と、
前記被評価試料の撮影画像から、前記照明光が映り込んだ画像領域を抽出する抽出手段と、
前記抽出手段で抽出した前記被評価試料の画像領域から、前記被評価試料に映り込んだ前記照明光の色情報を取得する色情報取得手段と、
前記色情報取得手段で取得した、前記被評価試料に映り込んだ前記照明光の色情報に基づいて、前記被評価試料のブロンズ現象に係る評価値であるブロンズ度を算出するブロンズ度算出手段と
を有することを特徴とする評価装置。
【請求項２】
前記色情報取得手段は、前記被評価試料に映り込んだ前記照明光の色情報として、三刺激値を取得することを特徴とする請求項１に記載の評価装置。
【請求項３】
前記ブロンズ度算出手段は、所定の三刺激値をＸ１Ｙ１Ｚ１とし、前記被評価試料に映り込んだ前記照明光の色情報である三刺激値をＸ２Ｙ２Ｚ２とし、前記ブロンズ度をＢｒとした際に、以下の（１）式
【数１】
2011002331.tif 000004
を用いて、前記ブロンズ度を算出することを特徴とする請求項２に記載の評価装置。
【請求項４】
前記色情報取得手段は、前記照明手段から照射された照明光の色情報を更に取得するものであり、
前記ブロンズ度算出手段は、前記被評価試料に映り込んだ前記照明光の色情報と、前記照明手段から照射された照明光の色情報とを用いて、前記ブロンズ度を算出することを特徴とする請求項１に記載の評価装置。
【請求項５】
前記照明手段は、基準試料に照明光を更に照射するものであり、
前記撮像手段は、前記基準試料を前記照明光の正反射方向から撮影し、前記基準試料の撮影画像を更に生成するものであり、
前記抽出手段は、前記基準試料の撮影画像から、前記照明光が映り込んだ画像領域を更に抽出するものであり、
前記色情報取得手段は、前記抽出手段で抽出した前記基準試料の画像領域から、前記基準試料に映り込んだ前記照明光の色情報を更に取得するものであり、
前記ブロンズ度算出手段は、前記被評価試料に映り込んだ前記照明光の色情報と、前記基準試料に映り込んだ前記照明光の色情報とを用いて、前記ブロンズ度を算出することを特徴とする請求項１に記載の評価装置。
【請求項６】
前記抽出手段は、前記照明光が映り込んだ画像領域を抽出する際に、前記撮影画像から、輝度が所定の範囲にある画素を抽出することを特徴とする請求項１乃至５のいずれか１項に記載の評価装置。
【請求項７】
前記撮像手段は、偏光子を介して、複数の偏光角で前記被評価試料を撮影し、前記複数の偏光角に係る前記被評価試料の複数の撮影画像を生成するものであり、
前記抽出手段は、前記照明光が映り込んだ画像領域を抽出する際に、前記被評価試料の複数の撮影画像から、偏光角の変化による輝度変化量が所定の値よりも大きい画素を抽出することを特徴とする請求項１乃至４のいずれか１項に記載の評価装置。
【請求項８】
前記撮像手段は、偏光子を介して、複数の偏光角で前記被評価試料を撮影し、当該複数の偏光角に係る前記被評価試料の複数の撮影画像を生成するとともに、偏光子を介して、複数の偏光角で前記基準試料を撮影し、当該複数の偏光角に係る前記基準試料の複数の撮影画像を生成するものであり、
前記抽出手段は、前記照明光が映り込んだ画像領域を抽出する際に、前記被評価試料の複数の撮影画像から、偏光角の変化による輝度変化量が所定の値よりも大きい画素を抽出するとともに、前記基準試料の複数の撮影画像から、偏光角の変化による輝度変化量が所定の値よりも大きい画素を抽出することを特徴とする請求項５に記載の評価装置。
【請求項９】
被評価試料に照明光を照射する照明手段と、前記被評価試料を前記照明光の正反射方向から撮影し、前記被評価試料の撮影画像を生成する撮像手段とを備えた評価装置による評価方法であって、
前記被評価試料の撮影画像から、前記照明光が映り込んだ画像領域を抽出する第１の抽出ステップと、
前記第１の抽出ステップで抽出した前記被評価試料の画像領域から、前記被評価試料に映り込んだ前記照明光の色情報を取得する第１の色情報取得ステップと、
前記第１の色情報取得ステップで取得した、前記被評価試料に映り込んだ前記照明光の色情報に基づいて、前記被評価試料のブロンズ現象に係る評価値であるブロンズ度を算出するブロンズ度算出ステップと
を有することを特徴とする評価方法。
【請求項１０】
前記照明手段から照射された照明光の色情報を取得する第２の色情報取得ステップを更に有し、
前記ブロンズ度算出ステップでは、前記被評価試料に映り込んだ前記照明光の色情報と、前記照明手段から照射された照明光の色情報とを用いて、前記ブロンズ度を算出することを特徴とする請求項９に記載の評価方法。
【請求項１１】
前記照明手段は、基準試料に照明光を更に照射するものであり、
前記撮像手段は、前記基準試料を前記照明光の正反射方向から撮影し、前記基準試料の撮影画像を更に生成するものであり、
前記基準試料の撮影画像から、前記照明光が映り込んだ画像領域を抽出する第２の抽出ステップと、
前記第２の抽出ステップで抽出した前記基準試料の画像領域から、前記基準試料に映り込んだ前記照明光の色情報を取得する第２の色情報取得ステップを更に有し、
前記ブロンズ度算出ステップでは、前記被評価試料に映り込んだ前記照明光の色情報と、前記基準試料に映り込んだ前記照明光の色情報とを用いて、前記ブロンズ度を算出することを特徴とする請求項９に記載の評価方法。
【請求項１２】
前記第１の抽出ステップでは、前記照明光が映り込んだ画像領域を抽出する際に、前記撮影画像から、輝度が所定の範囲にある画素を抽出することを特徴とする請求項９に記載の評価方法。
【請求項１３】
前記撮像手段は、偏光子を介して、複数の偏光角で前記被評価試料を撮影し、前記複数の偏光角に係る前記被評価試料の複数の撮影画像を生成するものであり、
前記第１の抽出ステップでは、前記照明光が映り込んだ画像領域を抽出する際に、前記被評価試料の複数の撮影画像から、偏光角の変化による輝度変化量が所定の値よりも大きい画素を抽出することを特徴とする請求項９または１０に記載の評価方法。
【請求項１４】
前記撮像手段は、偏光子を介して、複数の偏光角で前記被評価試料を撮影し、当該複数の偏光角に係る前記被評価試料の複数の撮影画像を生成するとともに、偏光子を介して、複数の偏光角で前記基準試料を撮影し、当該複数の偏光角に係る前記基準試料の複数の撮影画像を生成するものであり、
前記第１の抽出ステップでは、前記照明光が映り込んだ画像領域を抽出する際に、前記被評価試料の複数の撮影画像から、偏光角の変化による輝度変化量が所定の値よりも大きい画素を抽出し、
前記第２の抽出ステップでは、前記照明光が映り込んだ画像領域を抽出する際に、前記基準試料の複数の撮影画像から、偏光角の変化による輝度変化量が所定の値よりも大きい画素を抽出することを特徴とする請求項１１に記載の評価方法。
【請求項１５】
請求項９乃至１４のいずれか１項に記載の評価方法の各ステップをコンピュータに実行させるためのプログラム。
【請求項１６】
請求項１５に記載のプログラムを記憶したことを特徴とするコンピュータ読み取り可能な記憶媒体。
【発明の詳細な説明】
【技術分野】
【０００１】
本発明は、印刷物等の被評価試料におけるブロンズ現象の評価を行う評価装置及び評価方法、当該評価方法をコンピュータに実行させるためのプログラム、並びに、当該プログラム記憶したコンピュータ読み取り可能な記憶媒体に関するものである。
【背景技術】
【０００２】
印刷物に映り込んだ照明光の色が、照明光本来の色とは異なる色に見えることがある。この現象は、一般にブロンズ現象と呼ばれている。このブロンズ現象の発生メカニズムは、明確になっていないが、印刷物表面での波長選択的な光の反射に関係すると考えられている。このブロンズ現象は、特に、シアン系顔料色材で印刷された印刷物で顕著に見られる。この場合、典型的には、印刷物に映りこんだ白色照明が赤味を帯びて観察される。
【０００３】
このブロンズ現象の見られる印刷物は、観察する人に違和感を与えるため、ブロンズ現象が画質を低下させる要因として問題となっている。このブロンズ現象の評価方法としては、従来、照明光の情報と印刷物からの正反射光の情報とから、正反射光のクロマを算出して、これを評価値とする方法が提案されている（例えば、下記の特許文献１参照）。
【先行技術文献】
【特許文献】
【０００４】
【特許文献１】特開２００６−１７７７９７号公報
【発明の概要】
【発明が解決しようとする課題】
【０００５】
しかしながら、特許文献１における評価値は、色やテクスチャーの異なる印刷物の比較において、官能評価と一致しない課題がある。例えば、表面にテクスチャーを有する印刷物では、照明光源の光が印刷物に斑状に映り込み、照明光源の像の色と印刷物の地の色とが混ざって観察される。
【０００６】
図８は、印刷物（被評価試料）を照明の正反射方向から観察したときの拡大模式図である。図８において、無地領域８０１は、照明光源の像の色が観察される領域を示し、斜線領域８０２は、印刷物の地の色が観察される領域を示している。
【０００７】
地の色がシアンの印刷物で赤味のブロンズ現象が観察される場合、図８の無地領域８０１では赤味を帯びた照明光源の像が観察され、図８の斜線領域８０２では地の色であるシアンが観察されることになる。一般に、印刷物を観察するときに違和感を与えるのは、照明光源の像の色であり、照明光源の像の色が同一であれば、ブロンズ現象の官能評価は、印刷物の地の色によらずに同一となる。
【０００８】
一方、特許文献１におけるブロンズ現象の評価方法では、照明光源の像の領域（無地領域８０１）と印刷物の地の色の領域（斜線領域８０２）とを分離しないため、印刷物の地の色の影響を受ける。そして、印刷物の地の色が異なる場合、照明光源の像の色が同一であっても、特許文献１のブロンズ現象に係る評価値は、異なった値となる。また、印刷物表面のテクスチャーが異なり、照明光源の像の領域（無地領域８０１）と印刷物の地の色の領域（斜線領域８０２）との面積比が異なる場合、照明光源の像の色及び印刷物の地の色が同一であっても、特許文献１による評価値は、異なった値となる。
【０００９】
以上の原因によって、特許文献１のブロンズ現象に係る評価値では、色やテクスチャーの異なる印刷物の比較においては、官能評価と一致しないという問題があった。
【００１０】
本発明は、このような問題点に鑑みてなされたものであり、色やテクスチャーの異なる被評価試料においても、官能評価と一致するブロンズ現象の評価を行えるようにすることを目的とする。
【課題を解決するための手段】
【００１１】
本発明の評価装置は、被評価試料に照明光を照射する照明手段と、前記被評価試料を前記照明光の正反射方向から撮影し、前記被評価試料の撮影画像を生成する撮像手段と、前記被評価試料の撮影画像から、前記照明光が映り込んだ画像領域を抽出する抽出手段と、前記抽出手段で抽出した前記被評価試料の画像領域から、前記被評価試料に映り込んだ前記照明光の色情報を取得する色情報取得手段と、前記色情報取得手段で取得した、前記被評価試料に映り込んだ前記照明光の色情報に基づいて、前記被評価試料のブロンズ現象に係る評価値であるブロンズ度を算出するブロンズ度算出手段とを有する。
【００１２】
本発明の評価方法は、被評価試料に照明光を照射する照明手段と、前記被評価試料を前記照明光の正反射方向から撮影し、前記被評価試料の撮影画像を生成する撮像手段とを備えた評価装置による評価方法であって、前記被評価試料の撮影画像から、前記照明光が映り込んだ画像領域を抽出する第１の抽出ステップと、前記第１の抽出ステップで抽出した前記被評価試料の画像領域から、前記被評価試料に映り込んだ前記照明光の色情報を取得する第１の色情報取得ステップと、前記第１の色情報取得ステップで取得した、前記被評価試料に映り込んだ前記照明光の色情報に基づいて、前記被評価試料のブロンズ現象に係る評価値であるブロンズ度を算出するブロンズ度算出ステップとを有する。
【００１３】
本発明のプログラムは、前記評価方法の各ステップをコンピュータに実行させるためのものである。
【００１４】
本発明のコンピュータ読み取り可能な記憶媒体は、前記プログラムを記憶する。
【発明の効果】
【００１５】
本発明によれば、色やテクスチャーの異なる被評価試料においても、官能評価と一致するブロンズ現象の評価を行うことができる。
【図面の簡単な説明】
【００１６】
【図１】本発明の第１の実施形態に係るブロンズ現象評価装置の概略構成の一例を示す模式図である。
【図２】図１に示す制御装置の内部構成の一例を示す模式図である。
【図３】図２に示す画像処理部で行われる画像処理の処理手順の一例を示すフローチャートである。
【図４】図２に示すブロンズ度算出部で行われるブロンズ度の算出処理の処理手順の一例を示すフローチャートである。
【図５】本発明の第１の実施形態に係るブロンズ現象評価装置によるブロンズ現象評価方法の処理手順の一例を示すフローチャートである。
【図６】本発明の第２の実施形態に係るブロンズ現象評価装置の概略構成の一例を示す模式図である。
【図７】本発明の第２の実施形態に係るブロンズ現象評価装置によるブロンズ現象評価方法の処理手順の一例を示すフローチャートである。
【図８】印刷物（被評価試料）を照明の正反射方向から観察したときの拡大模式図である。
【発明を実施するための形態】
【００１７】
以下に、図面を参照しながら、本発明を実施するための形態（実施形態）について説明する。
【００１８】
（第１の実施形態）
まず、本発明の第１の実施形態について説明する。
【００１９】
ここでは、まず、本発明に関するブロンズ現象について説明する。
本発明に関するブロンズ現象は、印刷物等の被評価試料に映り込んだ照明光の色が、照明光本来の色とは異なる色に見える現象を指す。例えば、白色光でブロンズ現象の見られる被評価試料を白色光源で照明すると、典型的には、当該被評価試料を介して観察される白色光の色が赤味を帯びる。この際、被評価試料によっては、赤味の他、黄色やシアンに色付くこともある。また、鮮やかに色付くほど、被評価試料を観察する際に大きな違和感を与えるため、画質が低いと評価される。なお、以下の説明では、被評価試料に映り込んだ照明光源の照明光を照明光源の像と表現する。
【００２０】
次に、本実施形態に係るブロンズ現象評価装置について説明する。
図１は、本発明の第１の実施形態に係るブロンズ現象評価装置１００の概略構成の一例を示す模式図である。
【００２１】
第１の実施形態に係るブロンズ現象評価装置１００は、図１に示すように、照明光源装置１１０と、撮像装置１２０と、制御装置１３０と、入力装置１４０と、出力装置１５０を有して構成されている。
【００２２】
図１に示すように、照明光源装置１１０は、被評価試料（或いは基準試料）の表面における光照射点Ｏに向けて、その法線から角度θで照明光を照射する位置に配置されている。また、撮像装置１２０は、前記法線から照明光源装置１１０とは反対方向に角度θで、光照射点Ｏで正反射した正反射光を撮像可能な位置に配置されている。
【００２３】
照明光源装置１１０は、照明光を発生して被評価試料を照明するものであり、具体的に、例えば制御装置１３０の制御に従って、被評価試料（或いは基準試料）の表面における光照射点Ｏに向けて照明光を発生する。そして、当該照射光に対して正反射光方向に設置された撮像装置１２０は、被評価試料（或いは基準試料）の表面で正反射した反射光の撮像を行う。
【００２４】
照明光源装置１１０は、図１に示すように、ハロゲンランプ１１１と、集光機構１１２と、制御機構１１３と、色温度変換フィルタ１１４と、拡散板１１５を有して構成されている。
【００２５】
ハロゲンランプ１１１は、可視域の全域にスペクトルを有する光を照射する光源である。集光機構１１２は、ハロゲンランプ１１１の光を被評価試料（或いは基準試料）に効率的に照明するためのものである。制御機構１１３は、ハロゲンランプ１１１の光における輝度、色度の変動を抑制する制御を行うものである。色温度変換フィルタ１１４は、ハロゲンランプ１１１からの照明光を、例えば色温度５０００Ｋの白色光に変換するものである。拡散板１１５は、照明光源装置１１０から照射する照明光の輝度ムラや色度ムラを抑制するためのものである。
【００２６】
撮像装置１２０は、被評価試料（或いは基準試料）を、照明光源装置１１０から照射した照明光の正反射方向から撮影し、撮影画像データ（例えば、２次元の三刺激値（ＸＹＺ）画像データ）を生成するカメラである。その際、撮像装置１２０は、ピントを被評価試料（或いは基準試料）に合わせている。より好適には、撮像装置１２０は、焦点深度の長いレンズを使用し、被評価試料（或いは基準試料）と拡散板１１５の両方にピントが合うようにする。撮像装置１２０の解像度は、人の解像度と同等とし、また、１画素のサイズは、０．０５ｍｍ程度としている。
【００２７】
制御装置１３０は、ブロンズ現象評価装置１００の動作を統括的に制御するものである。この制御装置１３０の内部構成については、図２を用いて後述する。
【００２８】
入力装置１４０は、制御装置１３０に対して、指示などの各種の情報を入力する。
【００２９】
出力装置１５０は、制御装置１３０から送られた各種の情報や各種のデータを出力する。
【００３０】
次に、図１に示す制御装置１３０の内部構成について説明する。
図２は、図１に示す制御装置１３０の内部構成の一例を示す模式図である。
【００３１】
制御装置１３０は、図２に示すように、入出力部１３１と、全体制御部１３２と、光源制御部１３３と、測定部１３４と、データ格納部１３５と、画像処理部１３６と、ブロンズ度算出部１３７を有して構成されている。
【００３２】
入出力部１３１は、入力装置１４０からブロンズ現象評価に関する指示を受け取り、制御装置１３０内に入力する。また、入出力部１３１は、全体制御部１３２の制御に基づき、算出したブロンズ度の情報を含む各種の評価情報や、被評価試料（更には基準試料）の撮影画像データを含む各種の評価データを出力装置１５０に出力する。
【００３３】
全体制御部１３２は、制御装置１３０における全体の制御を行う。例えば、全体制御部１３２は、入力装置１４０から入出力部１３１を介して入力された指示に基づいて、制御装置１３０の各構成部（１３１〜１３６）を制御する。
【００３４】
光源制御部１３３は、照明光源装置１１０から照射する照明光の輝度や色度が安定するように制御を行うものである。
【００３５】
測定部１３４は、全体制御部１３２の制御に基づき、撮像装置１２０を用いて基準試料及び被評価試料を撮影する処理を行って、当該撮影により得られた撮影画像データをデータ格納部１３５に格納する。
【００３６】
データ格納部１３５は、測定部１３４による処理により得られた、基準試料や被評価試料の撮影画像データを格納する。さらに、データ格納部１３５は、画像処理部１３６により算出された、基準試料や被評価試料における照明光源の像の平均三刺激値や、ブロンズ度算出部１３７で算出されたブロンズ度Ｂｒ等の各種の情報を格納する。
【００３７】
画像処理部１３６は、全体制御部１３２の制御に基づき、データ格納部１３５に格納された撮影画像データに対して各種の処理を行うものであり、抽出部１３６１と、色情報取得部１３６２を有して構成されている。
【００３８】
画像処理部１３６の抽出部１３６１は、データ格納部１３５に格納された撮影画像データから、照明光源の像の画像領域（画素）を抽出する処理を行う。色情報取得部１３６２は、抽出部１３６１で抽出した画像領域の撮影画像データから、照明光源の像の色情報を取得する処理を行う。具体的に、色情報取得部１３６２は、照明光源の像の色情報として、平均三刺激値を算出して取得する。その後、画像処理部１３６（色情報取得部１３６２）は、取得した色情報（平均三刺激値）を、データ格納部１３５に格納する。
【００３９】
ブロンズ度算出部１３７は、データ格納部１３５に格納された基準試料及び被評価試料の照明光源の像の色情報（平均三刺激値）から、ブロンズ現象に係る評価値であるブロンズ度Ｂｒを算出し、これをデータ格納部１３５に格納する。
【００４０】
次に、図２に示す画像処理部１３６による画像処理の詳細について説明する。
上述したように、表面にテクスチャーを有する試料では、照明光源の像の色と試料の地の色とが混ざって観察される。色やテクスチャーの異なる印刷物の比較において、官能評価と一致するブロンズ評価値を得るためには、照明光源の像の色のみを抽出する必要がある。
【００４１】
そこで、本実施形態のブロンズ現象評価装置１００では、画像処理部１３６において、撮像装置１２０で撮影された撮影画像（撮影画像データ）に画像処理を施して、照明光源の像の色と試料の地の色とを分離する。
【００４２】
具体的には、画像処理部１３６（例えば抽出部１３６１）は、撮影画像の輝度の大きさによって、照明光源の像の画像領域と試料の地の色の画像領域とを分離する。この際、試料からの反射光には、試料の表面で反射し、正反射方向へ反射する輝度の高い表面反射光と、試料の内部で多重反射し、様々な方向へ反射する比較的輝度の低い拡散反射光とがある。そして、表面反射光は、試料に映り込む照明光源の像の色に関係し、拡散反射光は、試料の地の色に関係する。即ち、照明光源の像の輝度と試料の地の色の輝度では、照明光源の像の輝度の方が高い。そこで、画像処理部１３６（抽出部１３６１）は、撮影画像の各画素を走査し、各画素の三刺激値ＸＹＺのＹの値が、所定の判定基準輝度値Ｙ０よりも大きい画素を撮影画像から抽出することによって、照明光源の像の画像領域を抽出する。その後、画像処理部１３６（色情報取得部１３６２）は、照明光源の像の色情報として、抽出された画像領域における画素のＸの平均値、Ｙの平均値、Ｚの平均値を算出して取得する。
【００４３】
図３は、図２に示す画像処理部１３６で行われる画像処理の処理手順の一例を示すフローチャートである。なお、図３に示す処理において、撮影画像（撮影画像データ）としては、被評価試料における撮影画像及び基準試料における撮影画像の両方を適用可能である。
【００４４】
まず、ステップＳ１０１において、画像処理部１３６（例えば抽出部１３６１）は、撮影画像における処理対象の画素として、最初の画素を設定する。
【００４５】
続いて、ステップＳ１０２において、画像処理部１３６（例えば抽出部１３６１）は、現在設定されている処理対象の画素の三刺激値のＹの値と、予め設定された所定の判定基準輝度値Ｙ０とを比較し、Ｙの値がＹ０よりも大きいか否かを判断する。
【００４６】
ステップＳ１０２の判断の結果、現在設定されている処理対象の画素の三刺激値のＹの値が、予め設定された所定の判定基準輝度値Ｙ０よりも大きい場合には（Ｓ１０２／ＹＥＳ）、ステップＳ１０３に進む。
【００４７】
ステップＳ１０３に進むと、画像処理部１３６（抽出部１３６１）は、現在設定されている処理対象の画素を、ブロンズ現象の評価対象である、照明光源の像の画像領域における画素として抽出して登録を行う。
【００４８】
ステップＳ１０３の処理が終了した場合、或いは、ステップＳ１０２において現在設定されている処理対象の画素の三刺激値のＹの値が予め設定された所定の判定基準輝度値Ｙ０よりも大きくない場合には（Ｓ１０２／ＮＯ）、ステップＳ１０４に進む。
【００４９】
ステップＳ１０４に進むと、画像処理部１３６（例えば抽出部１３６１）は、現在設定されている処理対象の画素が撮影画像における最終の画素であるか否かを判断する。
【００５０】
ステップＳ１０４の判断の結果、現在設定されている処理対象の画素が撮影画像における最終の画素でない場合には（Ｓ１０４／ＮＯ）、ステップＳ１０５に進む。
【００５１】
ステップＳ１０５に進むと、画像処理部１３６（例えば抽出部１３６１）は、撮影画像における処理対象の画素として、次の画素を設定する。その後、ステップＳ１０２に戻って、ステップＳ１０５で設定した画素を、現在設定されている処理対象の画素として処理を行う。
【００５２】
一方、ステップＳ１０４の判断の結果、現在設定されている処理対象の画素が撮影画像における最終の画素である場合には（Ｓ１０４／ＹＥＳ）、ステップＳ１０６に進む。
【００５３】
ステップＳ１０６に進むと、画像処理部１３６（色情報取得部１３６２）は、ステップＳ１０３で登録されたブロンズ現象の評価対象画素（照明光源の像の画像領域における画素）について、色情報である平均三刺激値を算出して取得する。その後、図３に示すフローチャートの処理を終了する。
【００５４】
次に、図２に示すブロンズ度算出部１３７によるブロンズ度Ｂｒの算出処理の詳細について説明する。ここで、ブロンズ度Ｂｒは、ブロンズ現象による画像妨害の大きさを表す評価値であるものとする。
【００５５】
本実施形態のブロンズ度Ｂｒの算出方法は、特許文献１に開示されている手法を利用する。具体的に、ＣＩＥＬＡＢ表色系の彩度の算出方法を利用し、照明光源による照明光の三刺激値Ｘ１Ｙ１Ｚ１と、照明光源の像の三刺激値、即ち被評価試料に映り込んだ照明光の三刺激値Ｘ２Ｙ２Ｚ２とを用いて、以下の（１）式によりブロンズ度Ｂｒを算出する。
【００５６】
【数１】
2011002331.tif 000003
【００５７】
なお、上記照明光源による照明光の色は、ブロンズのない基準試料における照明光源の像の色と同等である。よって、本実施形態のブロンズ現象評価装置１００では、（１）式に示す所定の三刺激値Ｘ１Ｙ１Ｚ１として、照明光源装置１１０から照射された照明光の三刺激値の代わりに、基準試料における照明光源の像の三刺激値を利用する。基準試料としては、例えば、黒色研磨ガラス（ＢＫ７）利用する。
【００５８】
図４は、図２に示すブロンズ度算出部１３７で行われるブロンズ度Ｂｒの算出処理の処理手順の一例を示すフローチャートである。
【００５９】
まず、ステップＳ２０１において、ブロンズ度算出部１３７は、基準試料に映り込んだ照明光源の像の色情報である平均三刺激値Ｘ１Ｙ１Ｚ１をデータ格納部１３５から取得する処理を行う。
【００６０】
続いて、ステップＳ２０２において、ブロンズ度算出部１３７は、被評価試料に映り込んだ照明光源の像の色情報である平均三刺激値Ｘ２Ｙ２Ｚ２をデータ格納部１３５から取得する処理を行う。
【００６１】
なお、三刺激値Ｘ１Ｙ１Ｚ１及び三刺激値Ｘ２Ｙ２Ｚ２は、図３を用いて説明した画像処理手順によって求められたものである。
【００６２】
続いて、ステップＳ２０３において、ブロンズ度算出部１３７は、ステップ１で取得した三刺激値Ｘ１Ｙ１Ｚ１と、ステップ２で取得した三刺激値Ｘ２Ｙ２Ｚ２とを用いて、上述した（１）式に基づいて、ブロンズ度Ｂｒを算出する。その後、図４に示すフローチャートの処理を終了する。
【００６３】
次に、本実施形態に係るブロンズ現象評価装置１００によるブロンズ現象評価方法について説明する。
【００６４】
図５は、本発明の第１の実施形態に係るブロンズ現象評価装置１００によるブロンズ現象評価方法の処理手順の一例を示すフローチャートである。
【００６５】
まず、基準試料がセットされて、例えば入力装置１４０から基準試料の撮影指示がなされると、ステップＳ３０１において、制御装置１３０は、照明光源装置１１０及び撮像装置１２０を制御して、セットされた基準試料の撮影処理を行う。そして、制御装置１３０は、撮像装置１２０で撮影された基準試料の撮影画像データをデータ格納部１３５に格納する。
【００６６】
続いて、ステップＳ３０２において、画像処理部１３６（抽出部１３６１）は、ステップＳ３０１の撮影により得られた撮影画像データから、基準試料における照明光源の像の画像領域（画素）を抽出する処理を行う。このステップＳ３０２は、第２の抽出ステップを構成する。
【００６７】
続いて、ステップＳ３０３において、画像処理部１３６（色情報取得部１３６２）は、ステップＳ３０２で抽出した画像領域の撮影画像データから、色情報である平均三刺激値を算出して取得する処理を行う。このステップＳ３０３は、第２の色情報取得ステップを構成する。
【００６８】
その後、被評価試料がセットされて、例えば入力装置１４０から被評価試料の撮影指示がなされると、ステップＳ３０４において、制御装置１３０は、照明光源装置１１０及び撮像装置１２０を制御して、セットされた被評価試料の撮影処理を行う。そして、制御装置１３０は、撮像装置１２０で撮影された被評価試料の撮影画像データをデータ格納部１３５に格納する。
【００６９】
続いて、ステップＳ３０５において、画像処理部１３６（抽出部１３６１）は、ステップＳ３０４の撮影により得られた撮影画像データから、被評価試料における照明光源の像の画像領域（画素）を抽出する処理を行う。このステップＳ３０５は、第１の抽出ステップを構成する。
【００７０】
続いて、ステップＳ３０６において、画像処理部１３６（色情報取得部１３６２）は、ステップＳ３０５で抽出した画像領域の撮影画像データから、色情報である平均三刺激値を算出して取得する処理を行う。このステップＳ３０３は、第１の色情報取得ステップを構成する。
【００７１】
続いて、ステップＳ３０７において、ブロンズ度算出部１３７は、Ｓ３０３で取得した基準試料における照明光源の像の平均三刺激値と、Ｓ３０６で取得した被評価試料における照明光源の像の平均三刺激値とから、被評価試料のブロンズ度Ｂｒを算出する。このブロンズ度Ｂｒの具体的な算出方法は、図４を用いて説明したものとなる。
【００７２】
続いて、ステップＳ３０８において、制御装置１３０は、ステップＳ３０７で算出したブロンズ度Ｂｒの情報を出力装置１５０に出力する処理を行う。その後、図５に示すフローチャートの処理を終了する。
【００７３】
なお、基準試料における照明光源の像の平均三刺激値は、予め算出しておいた値をデータ格納部１３５に保持しておき、ステップＳ３０７の処理では、この値を使用してもよい。この場合、図５の処理は、ステップＳ３０４から実施されることになる。
【００７４】
また、図５に示す例では、ブロンズのない基準試料を使用した例について示したが、基準試料を使用する代わりに照明光源装置１１０から照射された照明光を直接用いる形態も適用可能である。この場合、例えば、ステップＳ３０１及びＳ３０２の処理を行わずに、ステップＳ３０３の処理において、基準試料に映り込んだ照明光の平均三刺激値の取得に代えて、照明光源装置１１０から照射された照明光の平均三刺激値の取得を行う形態を採る。
【００７５】
以上説明したように、本実施形態のブロンズ現象評価装置１００では、試料の撮影画像から、各画素の輝度の大きさに基づいて照明光源の像の画像領域を抽出し、抽出した画像領域の色情報に基づいてブロンズ度を算出するようにしている。
かかる構成によれば、撮影画像から照明光源の像の画像領域を抽出することで、色やテクスチャーの異なる被評価試料においても、官能評価と一致するブロンズ現象の評価を行うことができ、画像設計の最適化が可能となる。
【００７６】
（第２の実施形態）
次に、本発明の第２の実施形態について説明する。
【００７７】
照明光源の像の画像領域と試料の地の色の画像領域とを分離するのに当たり、第１の実施形態では撮影画像データの輝度を用いたが、第２の実施形態では直線偏光子による輝度変化量を利用する。
【００７８】
図６は、本発明の第２の実施形態に係るブロンズ現象評価装置２００の概略構成の一例を示す模式図である。図６において、図１に示す構成と同様の構成については同じ符号を付しており、その説明は省略する
【００７９】
第２の実施形態に係るブロンズ現象評価装置２００は、図６に示すように、図１に示すブロンズ現象評価装置１００の構成に加えて、さらに、被評価試料（或いは基準試料）と撮像装置１２０との間に直線偏光子２１０が構成されている。
【００８０】
照明光源の像に関係する試料の表面で反射した表面反射光は、偏光しているため、直線偏光子２１０の偏光角によって当該直線偏光子２１０を透過する透過光量が変化する。一方、試料の地の色に関係する拡散反射光は、無偏光であるため、直線偏光子２１０の偏光角を変えても、当該直線偏光子２１０を透過する透過光量が変化しない。即ち、本実施形態では、複数の偏光角で被評価試料等を撮影し、撮影された撮影画像データの各画素について偏光角による輝度変化量を求め、この輝度変化量が所定の判定基準値よりも大きい画素を抽出することによって、照明光源の像の画像領域の抽出を行う。ここで、偏光角による輝度変化量は、複数の偏光角における三刺激値ＸＹＺから、Ｙの値の最大値と最小値との差を求めることで得ることができる。
【００８１】
第２の実施形態に係るブロンズ現象評価装置２００によるブロンズ現象評価方法の処理手順は、図５に示す第１の実施形態におけるブロンズ現象評価方法の処理手順と同じものとなる。
【００８２】
そして、第２の実施形態では、図５のステップＳ３０２及びステップＳ３０３（更には、ステップＳ３０５及びステップＳ３０６）における、照明光源の像の画像領域の抽出及び色情報の算出の処理手順が第１の実施形態と異なる。
【００８３】
図７は、本発明の第２の実施形態に係るブロンズ現象評価装置２００によるブロンズ現象評価方法の処理手順の一例を示すフローチャートである。ここで、図７には、図５に示すステップＳ３０２及びステップＳ３０３（更には、ステップＳ３０５及びステップＳ３０６）に対応する処理のみ示している。
【００８４】
まず、所定の試料がセットされて、例えば入力装置１４０から当該試料の撮影指示がなされると、ステップＳ４０１において、制御装置１３０は、例えば、直線偏光子２１０の偏光角を０度に設定する。
【００８５】
続いて、ステップＳ４０２において、制御装置１３０は、照明光源装置１１０及び撮像装置１２０を制御して、セットされた試料の撮影処理を行う。そして、制御装置１３０は、撮像装置１２０で撮影された、偏光角０度における撮影画像（撮影画像データ）をデータ格納部１３５に格納する。
【００８６】
続いて、ステップＳ４０３において、制御装置１３０は、例えば、直線偏光子２１０を光軸周りに回転させて偏光角を９０度に設定する。
【００８７】
続いて、ステップＳ４０４において、制御装置１３０は、照明光源装置１１０及び撮像装置１２０を制御して、セットされた試料の撮影処理を行う。そして、制御装置１３０は、撮像装置１２０で撮影された、偏光角９０度における撮影画像（撮影画像データ）をデータ格納部１３５に格納する。
【００８８】
続いて、ステップＳ４０５において、画像処理部１３６（例えば抽出部１３６１）は、撮影画像における処理対象の画素として、最初の画素を設定する。
【００８９】
続いて、ステップＳ４０６において、画像処理部１３６（例えば抽出部１３６１）は、ステップＳ４０２の撮影により得られた撮影画像から、現在設定されている処理対象の画素における三刺激値のＹの値（Ｙａ）を取得する。
【００９０】
続いて、ステップＳ４０７において、画像処理部１３６（例えば抽出部１３６１）は、ステップＳ４０４の撮影により得られた撮影画像から、現在設定されている処理対象の画素における三刺激値のＹの値（Ｙｂ）を取得する。
【００９１】
続いて、ステップＳ４０８において、画像処理部１３６（例えば抽出部１３６１）は、ステップＳ４０６で取得したＹａと、ステップＳ４０７で取得したＹｂとの差の絶対値（ΔＹ）を求める。
【００９２】
続いて、ステップＳ４０９において、画像処理部１３６（例えば抽出部１３６１）は、ステップＳ４０８で求めたΔＹと、予め設定された所定の判定基準値ΔＹ０とを比較し、ΔＹがΔＹ０よりも大きいか否かを判断する。
【００９３】
ステップＳ４０９の判断の結果、ステップＳ４０８で求めたΔＹが、予め設定された所定の判定基準値ΔＹ０よりも大きい場合には（Ｓ４０９／ＹＥＳ）、ステップＳ４１０に進む。
【００９４】
ステップＳ４１０に進むと、画像処理部１３６（抽出部１３６１）は、現在設定されている処理対象の画素を、ブロンズ現象の評価対象である、照明光源の像の画像領域における画素として抽出して登録を行う。
【００９５】
ステップＳ４１０の処理が終了した場合、或いは、ステップＳ４０９においてステップＳ４０８で求めたΔＹが予め設定された所定の判定基準値ΔＹ０よりも大きくない場合には（Ｓ４０９／ＮＯ）、ステップＳ４１１に進む。
【００９６】
ステップＳ４１１に進むと、画像処理部１３６（例えば抽出部１３６１）は、現在設定されている処理対象の画素が撮影画像における最終の画素であるか否かを判断する。
【００９７】
ステップＳ４１１の判断の結果、現在設定されている処理対象の画素が撮影画像における最終の画素でない場合には（Ｓ４１１／ＮＯ）、ステップＳ４１２に進む。
【００９８】
ステップＳ４１２に進むと、画像処理部１３６（例えば抽出部１３６１）は、撮影画像における処理対象の画素として、次の画素を設定する。その後、ステップＳ４０６に戻って、ステップＳ４１２で設定した画素を、現在設定されている処理対象の画素として処理を行う。
【００９９】
一方、ステップＳ４１１の判断の結果、現在設定されている処理対象の画素が撮影画像における最終の画素である場合には（Ｓ４１１／ＹＥＳ）、ステップＳ４１３に進む。
【０１００】
ステップＳ４１３に進むと、画像処理部１３６（色情報取得部１３６２）は、ステップＳ４０２で撮影された撮影画像とステップＳ４０４で撮影された撮影画像のうち、全画素の平均輝度が大きい撮影画像に対して、ステップＳ４１０で登録された評価対象画素について、色情報である平均三刺激値を算出して取得する。その後、図７に示すフローチャートの処理を終了する。
【０１０１】
なお、図７に示す例では、直線偏光子２１０の偏光角の設定を０度と９０度の２つの角度を用いたが、本実施形態においては、偏光角の設定は２つの角度に限らず、３つ以上の偏光角を設定して被評価試料等の撮影画像を得る構成にしてもよい。
【０１０２】
例えば、ｎ個の偏光角による撮影画像を得た場合、各画素位置についてｎ個の三刺激値が得られる。そして、この場合、ｎ個の三刺激値の中で、最も大きいＹの値（Ｙｍａｘ）と、最も小さいＹの値（Ｙｍｉｎ）を求めて、その差（Ｙｍａｘ−Ｙｍｉｎ）をステップＳ４０８で求めるΔＹとすればよい。
【０１０３】
以上説明したように、本実施形態のブロンズ現象評価装置２００では、直線偏光子２１０を介して複数の偏光角で被評価試料を撮影し、複数の偏光角に係る三刺激値から最大輝度と最小輝度との差を求め、この輝度差に基づいて照明光源の像の画像領域を抽出する。
かかる構成によれば、撮影画像から照明光源の像の画像領域を抽出することで、色やテクスチャーの異なる被評価試料においても、官能評価と一致するブロンズ現象の評価を行うことができ、画像設計の最適化が可能となる。
【０１０４】
（本発明の他の実施形態）
上述した各実施形態では、照明光源として、ハロゲンランプ１１１と色温度変換フィルタ１１４とによる色温度５０００Ｋの白色光源を使用した例を示したが、白色ＬＥＤやキセノンランプを用いるようにしてもよい。
【０１０５】
上述した各実施形態では、撮像装置１２０として、２次元の三刺激値画像を撮影するカメラを使用した例を示したが、カラーカメラやマルチバンドカメラ、分光カメラを用いるようにしてもよい。
【０１０６】
例えば、撮像装置１２０として、ＲＧＢ３チャンネルのカラーカメラを用いる場合には、当該カラーカメラで撮影したカラー信号（ＲＧＢ）を三刺激値信号（ＸＹＺ）に変換する変換手段を、各実施形態のブロンズ現象評価装置の構成に追加すればよい。また、カラー信号を三刺激値信号に変換する方法としては、例えば、変換マトリクスを用いる公知の方法を用いることができる。
【０１０７】
撮像装置１２０として、２次元で可視波長の分光放射輝度画像を撮影する分光カメラを用いる場合には、当該分光カメラで撮影した分光放射輝度信号を三刺激値信号（ＸＹＺ）に変換する変換手段を、各実施形態のブロンズ現象評価装置の構成に追加すればよい。また、分光放射輝度信号を三刺激値信号に変換する方法としては、例えば、ＪＩＳのＺ８７２４（色の測定方法−光源色）に記載されている三刺激値の算出方法を用いることができる。
【０１０８】
さらに好適には、分光反射率が既知の基準試料に映り込んだ照明光の像の分光放射輝度と、被評価試料に映り込んだ照明光の像の分光放射輝度とを用いて、被評価試料の分光反射率を算出し、当該分光反射率から所定の光源下における三刺激値を算出してもよい。ここで、被評価試料の分光反射率Ｒｓ（λ）は、基準試料の分光反射率をＲ０（λ）、基準試料に映り込んだ照明光の像の分光放射輝度をＬ０（λ）、被評価試料に映り込んだ照明光の像の分光放射輝度をＬｓ（λ）とすると、以下の（２）式を用いて算出できる。
Ｒｓ（λ）＝Ｒ０（λ）×（Ｌｓ（λ）／Ｌ０（λ））  ・・・（２）
【０１０９】
また、分光反射率から所定の光源下における三刺激値を算出する方法としては、例えば、ＪＩＳのＺ８７２２（色の測定方法−反射及び透過物体色）に記載されている三刺激値の算出方法を用いることができる。ここで、三刺激値の算出に必要な光源の相対分光分布には、補助イルミナントＤ５０の相対分光分布やＪＩＳのＺ８７１９（条件等色指数−照明光条件等色度の評価方法）に記載されている蛍光ランプＦ８やＦ１０等の相対分光分布が利用できる。
【０１１０】
また、上述した各実施形態では、ブロンズ度Ｂｒの算出において、ＣＩＥＬＡＢ表色系の彩度の算出方法を利用したが、加えて、明度や色相角の算出方法を利用した評価値を併用してもよい。この際、明度や色相角の算出方法としては、ＪＩＳのＺ８７２９（色の表示方法−Ｌ＊ａ＊ｂ＊表色系及びＬ＊ｕ＊ｖ＊表色系）に記載されているＣＩＥ１９７６明度や、Ｌ＊ａ＊ｂ＊表色系の色度座標ａ＊ｂ＊の算出方法が利用できる。
【０１１１】
また、第１の実施形態では、照明光源の像の画像領域と試料の地の色の画像領域とを分離し、照明光源の像の三刺激値を得るために、撮影画像の各画素を走査し、各画素の三刺激値ＸＹＺのＹの値が所定の判定基準輝度値Ｙ０よりも大きい画素を抽出している。しかしながら、照明光源の像が非常に高輝度な領域では、撮像装置１２０がサチュレーションを起こしてしまい、照明光源の像の三刺激値を正しく取得できないことがある。そこで、撮像装置１２０がサチュレーションを起こすような高輝度の領域（画素）については、照明光源の像の画像領域を抽出する際に、除外するように構成してもよい。具体的には、判定基準輝度値に上限値Ｙ１を加え、各画素の三刺激値ＸＹＺのＹの値が、判定基準輝度値Ｙ０よりも大きく、判定基準輝度値Ｙ１よりも小さい画素を抽出するように構成する。
【０１１２】
また、上述した各実施形態に係るブロンズ現象評価装置の制御装置１３０を構成する各手段（１３１〜１３７）は、例えば、コンピュータのＣＰＵが記憶媒体に記憶されているプログラムを実行することによって実現できる。同様に、ブロンズ現象評価装置によるブロンズ現象評価方法を示す図３〜図５、図７の各ステップは、例えば、コンピュータのＣＰＵが記憶媒体に記憶されているプログラムを実行することによって実現できる。このプログラム及び当該プログラムを記憶したコンピュータ読み取り可能な記録媒体は本発明に含まれる。
【０１１３】
また、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１１４】
なお、本発明は、前述した各実施形態の機能を実現するソフトウェアのプログラム（実施形態では図３〜図５、図７に示すフローチャートに対応したプログラム）を、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１１５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１１６】
その場合、プログラムの機能を有していれば、オブジェクトコード、インタプリタにより実行されるプログラム、ＯＳに供給するスクリプトデータ等の形態であってもよい。
【０１１７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ、ＤＶＤ−Ｒ）などもある。
【０１１８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１１９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１２１】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１２２】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１２３】
なお、前述した各実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１２４】
１００：ブロンズ現象評価装置、１１０：照明光源装置、１１１：ハロゲンランプ、１１２：集光機構、１１３：制御機構、１１４：色温度変換フィルタ、１１５：拡散板、１２０：撮像装置、１３０：制御装置、１４０：入力装置、１５０：出力装置
【図１】
2011002331.tif 000005
【図２】
2011002331.tif 000006
【図３】
2011002331.tif 000007
【図４】
2011002331.tif 000008
【図５】
2011002331.tif 000009
【図６】
2011002331.tif 000010
【図７】
2011002331.tif 000011
【図８】
2011002331.tif 000012